(57)【特許請求の範囲】
【請求項１】
それぞれの先端が上下に並ぶようにＶ字状のアームが設けられ、
該アームの先端のそれぞれに被施療者の身体を押圧する揉み玉が設けられてなる施療子を備え、
該施療子を変位駆動すべくなしてあるマッサージ装置において、
前記アームの上部先端には、筋硬度計測装置が揺動可能に設けられており、
前記筋硬度計測装置は、
上下に間隔をおいて並設された２つの揉み玉と、
前記２つの揉み玉を取り付けた支持部材と、
前記２つの揉み玉の間に設けられたセンサと、
を有するマッサージ装置。
【発明の詳細な説明】
【技術分野】
【０００１】
本発明はマッサージ装置に関する。さらに詳しくは、たとえばいす、ベッド、足置き台等における使用者（被施療者）の身体との接面に、被施療者の身体に機械的刺激を与えるための可動のマッサージ具を備えたマッサージ装置に関する。
【背景技術】
【０００２】
従来、よく知られているマッサージ装置は、たとえばいす型のものであり、被施療者が座る座面内部および背もたれ部の内部に揉み玉（施療子ともいう）および制御装置が内蔵されており、制御装置によって施療子に揉み動作、叩き動作、ローリング動作および上下移動等を行わせるものである。このマッサージ装置では、被施療者が、たとえばリモートコントロールの操作器上の任意のスイッチを操作することにより、施療子に好みの動作を行わしめる。かかるマッサージ装置を使用する場合、一般に被施療者は自分の身体のうち疲労等を感じている個所に対してマッサージ動作を施す。また、その個所に対して揉みや叩き等の好みのマッサージ動作を行わしめる。
【０００３】
さらに、制御装置に上記各種類のマッサージ動作の組合せや身体上のマッサージコースをプログラムしておき、自動的に、または、被施療者が操作器上で好みのマッサージおよびコースを選択することができるものもある。コースとは、たとえば施療子が身体の上半身の所定の経路を移動するコース（上半身コース）、肩のみをマッサージするコース（肩コース）、腰回りを重点的にマッサージするコース（腰コース）等である。
【発明の開示】
【発明が解決しようとする課題】
【０００４】
マッサージ装置は東洋医学に基づいた家庭用治療器である。そして、その効能、効果として首のこり、肩こり、腰痛等の緩和等が認められている。しかしながら、被施療者は東洋医学の知識を有した上でマッサージ機を使用しているとは限らない。したがって、被施療者自らが選択したコースやマッサージでは必ずしも被施療者の疲労を効果的に除去、緩和しえるとは言えない。
【０００５】
今後は超高齢化社会の到来により、一層マッサージ装置の施療装置としての使用頻度が増加する。それに伴って一層効果的で適切なマッサージを施行することのできるマッサージ装置が望まれるようになる。
【０００６】
本発明はこれらの課題を解決するためになされたものであり、東洋医学に基づいて被施療者の体調を把握することにより、被施療者にとって適切なマッサージを施すことができるマッサージ装置を提供することを目的としている。
【課題を解決するための手段】
【０００７】
それぞれの先端が上下に並ぶようにＶ字状のアームが設けられ、該アームの先端のそれぞれに被施療者の身体を押圧する揉み玉が設けられてなる施療子を備え、該施療子を変位駆動すべくなしてあるマッサージ装置において、前記アームの上部先端には、筋硬度計測装置が揺動可能に設けられており、前記筋硬度計測装置は、上下に間隔をおいて並設された２つの揉み玉と、前記２つの揉み玉を取り付けた支持部材と、前記２つの揉み玉の間に設けられたセンサと、を有するマッサージ装置であることを特徴とする。
【発明の効果】
【００１０】
本発明によれば、東洋医学に基づき、触診を採用して被施療者の体調を把握することにより、被施療者にとって適切なマッサージを施すことができる。
【発明を実施するための最良の形態】
【００１１】
以下、添付図面を参照しつつ本発明のマッサージ装置の実施形態を説明する。
【００１２】
図１は本発明のマッサージ装置の一実施形態を示す斜視図である。このマッサージ装置１はいす型を呈しており、その背もたれ部２が座面部３に対して手動または電動によって前後に傾倒する（リクライニング）ことができるようにされている。背もたれ部２および座面部３にはそれぞれマッサージ機構４、５が配設されている。背もたれ部２のマッサージ機構４は、背もたれ面に沿って昇降可能な昇降台６に取り付けられている。この昇降台６はモータ７とネジ送り機構８によって昇降させられる。昇降台６が昇降することにより、マッサージ機構４が被施療者の腰から背中、肩、首を通って頭まで施療しつつ上昇、またはその逆方向に下降することになる。
【００１３】
マッサージ機構４は被施療者の身体に機械的刺激を与える左右一対の施療子９とこの施療子９を変位駆動するための図示しないモータとを有している。施療子９は、Ｖ字状のアーム１２の先端それぞれに回転自在に厚肉円盤状の揉み玉１３が取り付けられたものである。一方のモータは施療子９を被施療者の身体に向けて比較的速い速度で進退させるための叩きモータであり、他方のモータはＶ字状のアーム１２をたとえばすりこぎ状に揺動するように変位させるための揉みモータである。このマッサージ機構４によれば、揉み動作と叩き動作とが独立の駆動系によって施行され、また、両動作が合成されて施行される。もちろん、各動作を独立して行うことも可能である。このマッサージ機構４に関しては本出願人の出願による特開平２０００−３５０７５６号に詳しく説明されている。図１において符号１４で示すのは昇降台６の昇降を案内するガイドローラである。
【００１４】
座面部３のマッサージ機構５は被施療者の身体に対して振動を与えるものであり、バイブレーションモータから構成されている。このバイブレーションモータ５はモータの出力軸に偏心した質量が取り付けられたものであり、その回転によってモータ自身が振動するものである。
【００１５】
また、図２には施療子９の詳細が示されている。施療子９を駆動する前述の図示していない叩きモータ、揉みモータおよび伝動機構を収容した駆動機本体１０が配設されている。また、図示のごとく一対の施療子９の上記Ｖ字アーム１２の上部先端にはそれぞれ筋硬度計測装置１５が配設されている。各Ｖ字アーム１２の下部先端には一個の揉み玉１３ａが取り付けられているが、上部先端には二個の揉み玉１３ｂが取り付けられている。換言すれば、Ｖ字アーム１２の上部先端には上下に間隔をおいて二個の揉み玉１３ｂを備えた筋硬度計測装置１５が取り付けられている、ともいえる。また、図２及び図３並びに後述する図１３から明らかなように、Ｖ字アーム１２の上部先端には細長い支持部材１００がその長手方向中央箇所で枢着されており、この支持部材の両端にそれぞれ揉み玉１３ｂが取り付けられている。図１３から明らかなように、２つの揉み玉１３ｂは、前記支持部材１００がＶ字アーム１２の上部先端に枢着されている揺動軸１０１を中心として、前後に揺動することが可能となっている。前述したとおり、施療子９は昇降台６によって被施療者の背骨に沿って昇降する。また、揉み玉１３は上記揉み動作によって偏心運動をするので、それに伴い、筋硬度計測装置１５は単に上下方向のみに位置を変えるのではなく、上記揉み動作によって横方向（昇降方向に垂直な方向）にも移動することができる。したがって、被施療者の身体の広い範囲について筋硬度を測定することが可能である。
【００１６】
また、１つのＶ字アーム１２につき、合計３つの揉み玉１３ａ，１３ｂが設けられているので、図３から明らかなように、１つのＶ字アームに２つの揉み玉が設けられている場合に比して、被施療者の身体の多くの箇所を同時に押圧することができる。更に、昇降台６を昇降させたときには、揉み玉１３ａ，１３ｂの進行経路上に存在する被施療者の身体の一箇所を、３つの揉み玉１３ａ，１３ｂが通過することにより、１つのＶ字アームに２つの揉み玉が設けられている場合に比して、当該箇所に対する押圧回数が増す。
【００１７】
図３に示すように、筋硬度計測装置１５は、先端に圧力センサ１６を有する可動棒部材１７と、この可動棒部材１７をその中心軸方向に進退させるためのリニアアクチエータ（以下、単にアクチエータという）１８と、可動棒部材１７の移動距離を検出するための距離センサ１９と、これら１７、１８、１９を収納したハウジング２０とを備えている。可動棒部材１７には距離センサ１９に連結するための指針１７ａが取り付けられている。圧力センサ１６、アクチエータ１８、および距離センサ１９にはそれぞれ様々な機構が採用されうる。圧力センサ１６は被施療者の身体を押圧したときの反力を検出するものである。
【００１８】
この筋硬度計測装置１５は、その圧力センサ１６の先端が、二個の揉み玉１３ｂの前端を結ぶ仮想直線Ｌよりも若干寸法後退した位置に来るように配置されている。上記仮想直線Ｌが被施療者の身体の表面に対応する。したがって、マッサージを施すときには圧力センサ１６が被施療者の身体に接触することがない。そして、この圧力センサ１６は被施療者の身体の筋硬度を測定するときに、図３に二点鎖線で示すように上記仮想直線より外方に突出させられる。上記可動棒部材１７は、その中心軸が両揉み玉１３ｂの上記仮想直線Ｌに垂直となるように配設されている。両揉み玉１３ｂの外径が等しければ、両揉み玉１３ｂの中心同士を結ぶ仮想直線Ｌに垂直の方向となる。
【００１９】
筋硬度計測装置１５は、以上の構成により、作動していないときには二個の揉み玉１３ｂがともに被施療者の身体に当接した状態で、圧力センサ１６には押圧力が付加されない。しかし、筋硬度計測装置１５が作動して可動棒部材１７が前進すると、圧力センサが上記仮想直線Ｌより前方に突出して被施療者の身体をその表面に対してほぼ垂直にこれを押圧する。また、被施療者の身体の表面が曲面であっても、二個の揉み玉１３ｂがこの表面に常に接しているので、圧力センサが被施療者の身体をほぼ垂直に押圧する。したがって、身体のいずれの部位であっても圧力（反力）測定のメカニズムが一定となり、信頼性のある筋硬度を得ることができる。
【００２０】
筋硬度測定のために可動棒部材１７を進出させると、被施療者の身体に当接する。さらに進出させると圧力センサ１６が検出する圧力値が増加する。この状態を図４のグラフに示す。縦軸が圧力センサ１６による検出反力値Ｒｆを表し、横軸は圧力センサ１６の被施療者に向かって進出した距離Ｘを表す。図中のＢ点は圧力センサ１６（可動棒部材１７）の進出開始点である。Ｃ点は圧力センサ１６が進出して被施療者の身体に当接した点を示している。すなわち、反力検出位置（反力上昇開始点）Ｃが自動的に検出され、これが身体当接点であると判断される。Ｃ点からＤ点までは圧力センサ１６が進出を続けて被施療者の身体を押圧している状態を表している。Ｄ点は圧力センサ１６が進出を停止した点を表している。Ｃ点からＤ点までの筋硬度は検出反力値Ｒｆを進出距離Ｘによって微分することにより評価される。たとえば、得られた圧力変化曲線を、ある数式（たとえば指数関数等）によって近似し、その係数によって筋硬度を評価するのである。また、疲労度は筋硬度から作成された筋硬度情報の履歴を比較することにより、比較対照とするデータの測定された体調に対し、比較したデータが測定されたときの体調において、どの部位がどの程度疲労しまたは回復したのかをその割合で示すことによって評価することができる。また、筋疲労はＣ点からＤ点までの検出反力値を進出距離によって積分して得られる筋硬度計測装置１５の仕事量（図中の面積Ｓ）から評価することも可能である。
【００２１】
Ｃ点からＤ点までの圧力センサ１６の進出距離は予め設定されているが、この距離に至る前（Ｄ点に至る前）に反力値が急上昇すれば圧力センサ１６の進出を停止させる。これは、被施療者の身体部分によっては表面から骨までの距離（肉の厚さ）が小さいところがあるからであり、かかる部位においてはさらなる筋硬度の計測ができないからである。圧力センサ１６の進出を停止させる基準として、上限反力値を設定してもよく、また、進出距離に対する反力の上昇率の上限値を設定してもよい。
【００２２】
図３に示す圧力センサ１６は安価な導電ゴム式のセンサが採用されている。このセンサは、導電ゴムに電流を印加した状態で対象に押圧すれば、導電ゴムに歪みが生じる結果電気抵抗が変化するので、この電気抵抗の変化量から歪み量を検出し、歪み量を押圧による圧力に変換するものである。導電ゴム以外には、たとえば歪みゲージを採用することもできる。歪みゲージを可動棒部材１７等の押圧による応力が生じる部材に貼設し、押圧に伴う歪みを検出して圧力に換算するものである。また、圧電式やピエゾ式の半導体圧力センサを採用してもよい。歪みゲージ式や半導体式は精度が高いので好ましい。
【００２３】
図５に示すように、アクチエータ１８としてはたとえば、ねじ棒式、ラックピニオン式、リニアモータ式、流体圧式、カム式等の機構が採用されうる。
【００２４】
図５（ａ）に示すねじ棒式アクチエータ１８１は、モータＭの出力軸にねじ棒（ナット）１８１ａを接続しておき、可動棒部材１７にはナット（ねじ棒）１８１ｂを接続しておき、ねじ棒（ナット）とナット（ねじ棒）とを螺合する。そして、可動棒部材１７を回転不能にする。これにより、モータＭの正逆回転によって可動棒部材１７がその中心軸方向に進退する。
【００２５】
図５（ｂ）に示すラックピニオン式アクチエータ１８２は、可動棒部材１７にラック１８２ａを形成し、モータＭの出力軸にピニオンギア１８２ｂを固設してこれを上記ラック１８２ａに噛合させる。そして、モータＭの正逆回転によって可動棒部材１７をその中心軸方向に進退させる。
【００２６】
図５（ｃ）に示すリニアモータ式アクチエータ１８３は、可動棒部材１７に磁石１８３ａを配設し、可動棒部材１７の進退経路に沿って多数の電磁石１８３ｂを交互にＳ極とＮ極となるように配列しておく。そして、Ｓ極とＮ極とを切り換えることによって可動棒部材１７を直線的に移動させる。
【００２７】
図５（ｄ）に示す流体圧式アクチエータ１８４は、たとえば油圧シリンダ（またはエアシリンダ）１８４ａのピストン１８４ｂに可動棒部材１７を接続し、油圧または空気圧を負荷することによって可動棒部材１７をその中心軸方向に進退させる。
【００２８】
図５（ｅ）に示すカム式アクチエータ１８５は、モータＭの出力軸に回転板１８５ａを接続し、この回転板１８５ａの回転中心から離間した部位にコンロッド１８５ｂの一端を揺動自在に取り付ける。コンロッド１８５ｂの他端を可動棒部材１７に揺動自在に取り付ける。可動棒部材１７に対しては直進のみを許すようにガイド部材１８５ｃを配設しておく。そして、モータＭを回転させることによって可動棒部材１７をその中心軸方向に進退させる。
【００２９】
以上はアクチエータ１８を例示したものに過ぎず、他の公知の機構を採用することに問題はない。
【００３０】
図６には距離センサ１９が示されている。図６（ａ）に示す電気抵抗式スライド機構（いわゆるスライダック）の距離センサ（リニアセンサ）１９１は電気抵抗としてのレール１９１ａを備えている。そして、可動棒部材１７の移動に伴って上記指針１７ａがこのレール１９１ａ上を摺動する。レール１９１ａの一端と指針１７ａとの間に電流を供給し、レール１９１ａの一端と指針１７ａとの間の電気抵抗の変化を可動棒部材１７の移動距離に変換する。このリニアセンサ１９１は構造が簡易でコンパクトであるため、筋硬度計測装置１５全体を小さく構成することができる。
【００３１】
図６（ｂ）に示すポテンショメータ式距離センサ１９２は、その検出軸に押圧ローラ１９２ｂを有する回転式ポテンショメータ１９２ａを備えている。可動棒部材１７に押圧ローラ１９２ｂを押圧させ、可動棒部材１７の直線移動距離を押圧ローラ１９２ｂを介して回転数に変換するものである。押圧ローラに代えてピニオンギアを用い、このピニオンギアに噛合するラックを可動棒部材１７に形成してもよい。本図ではアクチエータとして図５（ｂ）に示すモータＭとラック１８２ａとピニオンギア１８２ｂとからなるものを採用している。
【００３２】
その他にも、図示はしないがインピーダンス変化型の距離センサを用いてもよい。たとえば、コイル内に透磁率の高い心材を挿入し、この心材に上記可動棒部材１７を連結したものである（インダクタンス変化型センサ）。これは、心材のコイル内への挿入量の変化、つまり可動棒部材１７の軸方向変位、を透磁率の変化として検出するものである。または、相互に離間して対向する一対の電極のうちの一方に上記可動棒部材１７を連結した、容量可変型センサ（面積変化型センサ）である。これは、可動棒部材１７の軸方向変位に伴って両電極の向かい合っている面積が変化し、この面積変化に伴ってコンダクタンスが変化するが、可動棒部材１７の移動距離をコンダクタンスの変化量として検出するものである。
【００３３】
また、図示しないが、可動棒部材に被検出板を貼着し、レーザー発振子を用いて被検出板における反射光を検出することによって非接触で可動棒部材の移動距離を検出するものでもよい。また、エンコーダを用いてパルス数を検出し、これによって可動棒部材の移動距離を検出するものであってもよい。
【００３４】
図１〜３に示す筋硬度計測装置１５はＶ字アーム１２の上部先端に取り付けられているが、本発明ではこれに限定されず、下部先端に取り付けてもよい。しかし、筋硬度計測装置１５をＶ字アームの上部先端に取り付けておく方が、施療子９が被施療者の肩に移動したときに肩上部にまで回り込んで肩上部の筋硬度を容易に計測することができるので好ましい。
【００３５】
また、図７に示すように、筋硬度計測装置１５をＶ字アーム１２の中央に取り付けてもよい。図７（ａ）は施療子９の側面図であり、図７（ｂ）は正面図である。かかる構成によれば、筋硬度計測装置１５を取り付けるスペースに余裕が生じるので好ましい。Ｖ字アーム１２の先端同士の離間距離は通常は１６０ｍｍ程度である。これは人間工学上、人の手が揉むときの親指と他の四本の指との感覚を参考にしたものである。上記のように筋硬度計測装置１５の取付スペースに余裕がある場合は、図７（ｂ）に示すように、両揉み玉１３ａ、１３ｂを結ぶ仮想直線Ｑ上に圧力センサ１６を位置させることが容易となる。その結果、筋硬度測定部位とマッサージ施行部位とを近づけることができるので好ましい。また、筋硬度計測装置１５を作動させないときには圧力センサ１６を被施療者の身体に対する非接触状態を確実なものとすることができるので好ましい。
【００３６】
揉み玉１３の形状は、被施療者の身体表面に対する面圧が低くなるように、身体表面への接面が広いものが好ましい。たとえばレースカー用のタイヤのごとくである。
【００３７】
図８には、左右に一対配設された各施療子２２が一個の揉み玉１３ｃを備えたマッサージ装置２１（図８（ｂ））が示されている。片側の施療子２２のみを示しているが、図示しない他方の施療子はマッサージ装置の背もたれ部２３の中心線に対して左右対称形であるため、その説明を省略する。この施療子２２も図１〜３に示す施療子９と同様に揉み動作および叩き動作が可能である。図８（ａ）に示すように各施療子２２には一個の筋硬度計測装置１５が取り付けられている。この筋硬度計測装置１５はその圧力センサ１６が揉み玉１３ｃに近接し、圧力センサ１６の先端が揉み玉１３ｃの前端よりも若干寸法後退した位置に来るように配置されている。そして、圧力センサ１６はマッサージを施すときには被施療者の身体に接触せず、筋硬度を測定するときには揉み玉１３ｃの前端より外方に突出させられる。揉み玉１３ｃはアーム２４の先端に回転自在に取り付けられており、このアーム２４は図示しない駆動ユニットを内蔵したハウジング２５（図８（ｂ））に取り付けられている。一方、筋硬度計測装置１５もハウジング２５に取り付けられており、圧力センサ１６の突出方向は施療子２２のアーム２４と平行にされている。両者の平行状態を確実なものとするために、筋硬度計測装置１５とアーム２４とがブラケット２６によっても相互に固定されている。図示しないが、筋硬度計測装置１５の圧力センサ１６、アクチエータ１８および距離センサ１９は前述のものと同一である。
【００３８】
図８（ｂ）に示すように、本マッサージ装置２１では背もたれ部２３の面に沿うように施療子２２の移動経路が配設されている。この移動経路はラック式のレール２７であり、上記ハウジング２５にはこのラックに噛合する駆動ピニオン２８が配設されている。駆動ピニオン２８はレール２７の長手方向に間隔をおいて一対配設されている。また、圧力センサ１６の突出方向および施療子２２のアーム２４の長手方向はレール２７に垂直に被施療者の身体に向かうようにされている。これにより、被施療者の身体の表面が背もたれ部２３に沿っている場合、施療子２２はその位置に拘わらず常に被施療者の身体表面にほぼ垂直に作用し、筋硬度計測装置１５もその圧力センサ１６を被施療者の身体表面にほぼ垂直に押圧することになる。
【００３９】
図９（ａ）には、転動式の接触子２９ａを有する筋硬度計測装置２９が示されている。この筋硬度計測装置２９は、図２に示すようにＶ字アーム１２の一先端に取り付けられた二個の揉み玉１３ｂ間に取り付けてもよく、図７に示すようにＶ字アーム１２の中央凹部（両揉み玉１３ａ、１３ｂ間）に取り付けてもよく、また、図８に示すように一個の揉み玉に対して取り付けてもよい。この接触子２９ａは可動棒部材１７の先端に回転自在に取り付けられたローラである。この筋硬度計測装置２９は、ローラ２９ａが被施療者の身体表面に押圧された状態で転動させられるときに受ける転がり抵抗力Ｆｒ（図９（ｂ））から相対的な筋硬度を検出するものである。
【００４０】
図９（ｂ）に示すように、可動棒部材１７の先端には、たとえば前述の導電ゴム式の圧力センサ３０が取り付けられており、被施療者の身体への押圧力が検出される。また、可動棒部材１７には歪みゲージ３１が貼着されており、この歪みゲージ３１によってローラ２９ａの転動時の転がり抵抗力が検出される。さらに、筋硬度計測装置２９には図示しない前述のアクチエータおよび距離センサが内蔵されている。そして、アクチエータは上記圧力センサ３０からのフィードバック信号により、被施療者の身体表面にローラ２９ａから一定の押圧力が加わるように作動する。
【００４１】
図９（ｂ）にこの転動式の筋硬度測定の原理を示す。半径Ｒのローラ２９ａを被施療者の身体表面に一定の押圧力Ｆｖによって押圧した状態で転動させられるとき、ローラ２９ａが被施療者の身体から垂直抗力Ｎ（＝Ｆｖ）を受ける点Ｐにおいて、進行方向Ｆと反対の方向に転がり抵抗力Ｆｒを受ける。この転がり抵抗力Ｆｒを受ける点Ｐと押圧力Ｆｖの作用方向との離間距離Ａが転がり抵抗係数と呼ばれ、転がり抵抗を特徴づける。これらの関係は下式で表される。
【００４２】
Ｆｒ＝Ｆｖ×Ａ／Ｒ
ここで、転がり抵抗力Ｆｒは歪みゲージ３１によって知ることができ、押圧力Ｆｖは圧力センサ３０によって知ることができ、ローラ２９ａの半径は既知である。したがって、上記式から抵抗係数Ａを得ることができる。この抵抗係数Ａは被施療者の身体表面の硬さに応じて変化するため、この抵抗係数Ａによって筋硬度を評価することができる。
【００４３】
以上説明した施療子９、２２を有するマッサージ機構４は被施療者の首、肩、背中、腰等を施療し、これらの筋硬度を計測するものであったが、以下には手や足を施療し、これらの筋硬度を計測するマッサージ機構３２を説明する。
【００４４】
図１０（ａ）に示す上記マッサージ機構３２は、腕、ふくらはぎ、太もも（以下、腕で代表させて説明する）を載置する載置台３３上に移動可能に取り付けられている。この載置台３３は、相互に平行に配設され且つラックが形成された二本のレール３４と、両レール３４の両端それぞれに固定された載置部３５とを備えている。両載置部３５には腕を載置しやすいように腕に沿う湾曲断面を呈した凹所Ｇが形成されている。両載置部３５間のレール部分に往復移動自在に上記マッサージ機構３２が係合されている。このマッサージ機構３２は各レール３４に係合する一対の係合部３６と、両係合部３６を繋ぐ円弧状のブリッジ３７と、このブリッジ３７の中央部にブリッジ３７回りに回動可能（図１０（ｂ））に取り付けられた施療子３８とを備えている。施療子３８がブリッジ３７回りに所定回転角だけ往復回動することにより、マッサージを施すことができる。
【００４５】
上記係合部３６には図示しないモータとモータの出力軸に固定されたピニオンギヤとを備えている。このピニオンギヤが上記レール３４のラックに噛合している。したがって、モータの駆動によってマッサージ機構３２がレール３４に沿って移動することができ（図１０（ａ））、被施療者の腕や足に沿ってマッサージがなされる。また、上記ブリッジ３７にはラックが形成されており、施療子３８の本体３９内には図示しないモータとモータの出力軸に固定されたピニオンギヤとが配設されている。このピニオンギヤがブリッジ３７のラックに噛合し、モータの駆動によって施療子３８がブリッジ３７に沿って移動可能にされている（図１０（ｃ））。かかる構成により、被施療者の腕や足に対してその周方向に施療子３８の位置合わせをすることができる。
【００４６】
図１０（ｂ）に示すように上記施療子３８は、上記本体３９から上記ブリッジ３７と交差する双方向であり且つ両レール３４が成す面に向かって延びた一対のアーム４０を有しており、各アーム４０の先端には揉み玉４１が回転自在に取り付けられている。
【００４７】
上記本体３９には、上記両アーム４０の間を両レール３４が成す面に向かって延びるように筋硬度計測装置１５が立設されている。そして、その圧力センサ１６の先端が、二個の揉み玉４１の前端を結ぶ仮想直線よりも若干寸法後退した位置にあり、筋硬度計測装置１５が筋硬度を測定するときに上記仮想直線より外方に突出させられる。
【００４８】
かかる構成により、被施療者の腕や足について前述のマッサージ機構４と同様にその筋硬度を計測することができる。
【００４９】
以上に説明したマッサージ装置では、その施療子とは別に筋硬度計測装置を配設しているが、本発明ではかかる構成に限定されない。たとえば、施療子を筋硬度計測に用いるように構成してもよい。すなわち、施療子と筋硬度計測装置との兼用である。たとえば図８（ａ）を参照して説明すれば、施療子２２のアームを可動棒部材とし、この可動棒部材を図５に示すアクチエータで進退駆動し、ハウジング２５に距離センサを内蔵し、圧力センサとしては前述した種々のものを選択することができる。または、図９に示す転動式の筋硬度計測装置２９を施療子として用いてもよい。そのローラ２９ａを施療子として機能させることが可能である。
【００５０】
以上のように、施療子と筋硬度計測装置とを兼用する場合には、背もたれ部の表面から後退した位置にこの筋硬度計測装置の先端が配置されるようにしておく。こうすると、被施療者が背もたれ部にもたれたときにも、筋硬度計測装置の押圧子が被施療者の身体に接触することがない。そして、筋硬度の計測のときおよびマッサージ施行のときに、筋硬度計測装置の押圧子を背もたれ部の表面から進出させればよい。
【００５１】
また、如上のマッサージ装置では、その筋硬度計測装置が施療子に取り付けられているが、本発明ではかかる構成に限定されない。筋硬度計測装置と施療子とを別体として、相互に独立して被施療者の身体表面に沿って移動しうるように構成してもよい。たとえば、図１においては、図示しないが施療子の昇降台６とは独立して昇降する昇降台に筋硬度計測装置を取り付けることができる。また、図１０に示す手足のためのマッサージ機構では、図示しないが、マッサージ機構３２とは別体の移動子を配設し、この移動子に筋硬度計測装置を取り付けることができる。そして、まず筋硬度計測装置を所定経路に沿って移動させながら被施療者の身体の各部の筋硬度を計測し、その後に被施療者の身体の任意の部位に施療子を移動させてマッサージを施行することができる。
【００５２】
図１１〜１３に示すように、本マッサージ機構４には被施療者の肩の位置を検出するための肩位置センサ４２が配設されている。この肩位置センサ４２は、マッサージ機構４の上下ストロークの原点、たとえば上下ストロークの上端位置、からマッサージ機構４を移動させて被施療者の肩の位置を検出するものである。肩位置の特定は昇降用モータ７の出力軸の回転を検出する回転センサ（図示しない）によって行う。つまり、上記原点から肩位置までの昇降用モータ７の回転数（累積回転角）によって特定する。そして、原点から肩位置までの距離が後述するメモリ５３に記憶される。上記昇降用モータ７としては直流モータを選択するのが好ましい。直流モータは印加される電圧を変えることによって任意の速度を得ることができるので、停止位置の手前で速度を低下させるような制御によってマッサージ機構４の位置制御が容易となるからである。
【００５３】
図示のごとく肩位置センサ４２は、上記Ｖ字アーム１２を揺動自在に枢支する枢支体４４に取り付けられている。この枢支体４４は図１２に示すように左右一対に形成されており、両枢支体の間にＶ字アーム１２が貫入した上でピン４５によって枢支されている。そして、両枢支体４４を左右に貫通する貫通孔４６が形成されている。一方の枢支体４４ａの貫通孔４６ａには発光素子４７が配設され、他方の枢支体４４ｂの貫通孔４６ｂには発光素子４７からの光線を受光するための受光素子４８が配設されている。しかし、Ｖ字アーム１２の揺動位置によっては発光素子４７からの光線がＶ字アーム１２によって遮られて受光素子がこの光線を検出することができない。図１１中に実線で示すのがＶ字アーム１２によって光線が遮られている状態であり、二点鎖線で示すのが受光素子４８が光線を検出し得る状態である。かかる構成によってＶ字アーム１２の揺動を検出し、その結果、被施療者の肩位置が検出されるというものである。
【００５４】
図１３に示すように、マッサージ装置１に着座した被施療者に当接させてその背中に沿って施療子９を昇降させる。このとき、すなわち施療子９がＨ位置にあるときにはＶ字アーム１２は発光素子４７の光線を遮ってはいない（図１１の二点鎖線の状態）。そして、図示のごとく施療子９の上方の揉み玉１３ｂが被施療者の首か肩に達すると（Ｊ位置）、Ｖ字アーム１２が矢印Ｋ方向に揺動する。そうするとＶ字アーム１２は発光素子４７の光線を遮り（図１１の実線の状態）、肩位置センサ４２がＶ字アーム１２の所定範囲の揺動を検出し、その結果、施療子９が被施療者の肩に至ったことが検知される。
【００５５】
図１に示すようにＶ字アーム１２は左右それぞれに設けられているが、この肩位置センサ４２も両アームに対応するように左右に一対設けられている（図１には図示しない）。かかる構成により、たとえば両肩位置センサ４２によって検出された値等について、その平均値を採用することによってより正確な揺動を検出することが可能となる。
【００５６】
図１４に示す制御装置５０が本マッサージ装置１、２１（以下、符号１で代表させる）に内蔵されている。この制御装置５０は、マッサージ機構４、５、３２（以下、符号４で代表させる）および筋硬度計測装置１５、２９（以下、符号１５で代表させる）の動作を制御し、筋硬度計測装置１５によって計測された筋硬度に基づいて被施療者の体調を判断し、この体調に応じたアドバイス等の、被施療者にとって有用な情報を出力するためのものである。さらに、マッサージ内容を選定し、選定されたマッサージ内容をマッサージ機構４に指示するものである。
【００５７】
この制御装置５０は、マッサージ機構４および筋硬度計測装置１５の移動を制御する移動制御部５１と、マッサージ動作制御部５２と、マッサージ動作プログラム、筋硬度計測プログラム、問診プログラム、問診結果や筋硬度計測結果から体調を判断しマッサージ内容を選定するマッサージ内容選定プログラム等の各種プログラムを含めた複数の情報を記憶するメモリ５３と、プログラムを実行するＣＰＵ５４が配設されている。
【００５８】
また、このマッサージ装置１には、被施療者に関する情報（個人情報）を入力するための個人情報入力装置５５と、問診結果や筋硬度計測結果に基づいて選定されたマッサージ内容を表示するためのマッサージ内容表示装置５６と、被施療者の身体から計測された筋硬度等をその計測部位と対応させて表示する硬度マップ表示装置５７とを備えている。この硬度マップ表示装置５７は、前述したごとく、身体の各部位で測定した結果に基づいて疲労度（筋硬度）マップを作成できるものである。
【００５９】
上記移動制御部５１は、マッサージ機構４および筋硬度計測装置１５の位置を、その移動範囲を表す座標の上に検出し、且つ、この座標上の任意の位置に移動させるものである。上記メモリ５３には座標記憶部５３ａが内蔵されており、マッサージ機構４および筋硬度計測装置１５の移動範囲に対応した座標が記憶される。この座標は二次元の直角座標でも極座標でもよく、三次元の直角座標でも直角座標と極座標との組み合わせ（たとえば円柱や球）でもよい。この座標は被施療者の身体に対応させることが可能である。すなわち、たとえば前述した肩位置センサ４２によって特定された身体上の特定位置（肩）を座標の基準位置（原点）とすればよい。マッサージ機構４および筋硬度計測装置１５の移動は、移動駆動するモータとしてサーボモータを使用することによってその距離が特定できる。また、移動制御には身体上の特定位置、たとえば経穴の位置にマッサージ機構４および筋硬度計測装置１５を移動させることも含まれる。肩位置センサ４２によって検出された被施療者の肩位置を基準とした各経穴の位置までの距離および方向が上記座標記憶部５３ａに記憶されている。経穴は、被施療者の背面では、頭から首、肩および背中を経て腰部に至るまで脊椎の両側に脊椎に沿って７５〜１５０ｍｍの間隔をおいて存在している。そして、昇降用モータ７等の移動用モータの回転数によって施療子９の肩位置からの距離が逐次判断される。そして、判断された距離と予め座標記憶部５３ａに記憶された上記距離と比較演算して経穴位置を決定し、施療子９が各経穴に至る度に昇降用モータ７を停止させることができる。
【００６０】
マッサージ動作制御部５２は、マッサージ機構の叩きモータ１１ａ、揉みモータ１１ｂ、バイブレーションモータ５、昇降用モータ７等の各モータの作動を制御することにより、選定されたマッサージ動作を実行するものである。
【００６１】
身体におけるマッサージ機構４および筋硬度計測装置１５の移動範囲内で網羅的に筋硬度の計測およびマッサージの施行が可能ではあるが、上記構成により、、経穴等の特定部位に対してのみ筋硬度の計測およびマッサージの施行が可能となる。メモリ５３には個人硬度マップ記憶部５３ｂが内蔵されており、各部位において計測された筋硬度は上記座標記憶部５３ａに記憶された座標に対応するようにここ５３ｂに記憶される。この筋硬度は後述する個人情報に対応して記憶されるため、一台のマッサージ装置１に複数の被施療者の筋硬度を記憶することができる。さらに、同一被施療者の筋硬度を時期を変えて複数回計測した場合に、計測筋硬度を時系列的に記憶することも可能である。こうすることにより、筋硬度の変化率や変化量を検討材料として被施療者の体調を判断し、最適なアドバイスやマッサージを提供することが可能となる。さらに、マッサージの施行前後の筋硬度を比較することにより、当該被施療者の疲労の回復度合いを知り、マッサージの効果を知ることも可能である。
【００６２】
上記座標記憶部５３ａ、個人硬度マップ記憶部５３ｂまたは後述の標準硬度マップ記憶部５３ｃには、経穴情報、すなわち経穴の位置、当該経穴名、当該経穴に関連する臓器名、当該臓器に関係する病名等を、そこに記憶された座標または硬度マップに関連づけて記憶しておいてもよい。
【００６３】
上記個人情報入力装置５５は、たとえば民族、年齢、性別、身長、体重等の個人情報をマイクロホン５８（図１）を通して音声によって入力するものであり、音声分析処理およびマッチング処理して入力音声を認識する。もちろん、音声入力に代えてまたは音声入力とともに、操作器５９（図１）のキーによって表示画面６０（図１）上に入力する構成を採用してもよい。操作器５９およびマイクロホン５８ともに入力手段である。メモリ５３には個人情報記憶部５３ｄが内蔵されており、上記個人情報がここに記憶される。たとえば経穴の位置は民族、体格、性等によって多少異なるので、この個人情報に応じた経穴位置を特定することが可能となる。また、後述するように、計測された被施療者の筋硬度を評価する上で上記個人情報が有用となる。
【００６４】
また、メモリ５３には標準硬度マップ記憶部５３ｃが内蔵されている。この標準硬度マップ記憶部５３ｃには、座標記憶部５３ａに記憶された座標に対応するように健全な人体の筋硬度が記憶されている。すなわち、標準硬度としてこの健全体の筋硬度が採用されている。健全な人体の筋硬度は臨床データに基づいて得られた値が、たとえば民族、年齢、性別、身長、体重等ごとに分類されて記憶されている。したがって、座標上の同一位置における被施療者の身体の硬度を、当該被施療者の個人情報に対応する上記健全な人体の硬度と比較検討することによって適正な評価が可能となる。
【００６５】
図１５を参照しつつ上記個人硬度マップおよび標準硬度マップによる被施療者の筋硬度評価の一例を説明する。図１４（ａ）は被施療者の身体上で計測された筋硬度を座標上に分布させたもの（分布Ａと呼ぶ）である。図１４（ｂ）は被施療者の個人情報に対応する健全体の筋硬度を上記計測筋硬度の座標と同一座標上に分布させたもの（分布Ｂと呼ぶ）である。図１４（ｃ）は座標上の同一位置における分布Ａの筋硬度から分布Ｂの筋硬度を減じた値を該当座標位置に分布させたもの（分布Ｃと呼ぶ）である。分布Ｃにおいて＋値が示されている部位については筋肉のこりが発生していると判断する。また、座標上に経穴位置を示しておけば、経穴位置での筋肉のこりが、後述するように対応する内蔵の異常を推測することに役立つ。なお、分布Ａの筋硬度から分布Ｂの筋硬度を減ずるのに代えて、分布Ａの筋硬度を分布Ｂの筋硬度によって除した値を分布Ｃとしてもよい。
【００６６】
また、上記硬度マップ表示装置５７には、前述した座標、分布Ａ、分布Ｂおよび分布Ｃ等が表示される。この場合、分布Ａ、分布Ｂおよび分布Ｃをそれぞれ異なる画面に表示してもよく、また、三者をラップさせて表示してもよい。以上の硬度マップに、人体の二次元的外形または三次元的外形および骨格等をラップさせて表示してもよい。また、分布Ａについては、異なる時期に複数回計測した場合に、上記操作器５９の操作によって画面を変えて時系列的に表示するように構成してもよい。さらに、座標は二次元のみならず三次元で表示してもよい。たとえば、腕、足、背中に対する肩のように人体表面に沿って三次元で表示する方が判りやすいからである。さらに、座標上で経穴に相当する位置には特別の表示を加えてもよい。また、異なる時期に複数回計測した場合に、分布Ａについてたとえばグラフ表示等によって筋硬度の時間的変化を表示するように構成してもよい。以上の各表示項目を選択して表示させてもよい。さらに、個人情報を併せて表示するようにしてもよい。
【００６７】
上記個人情報記憶部５３ｄには問診結果をも加えて個人情報として記憶しておいてもよい。この問診は、たとえば、質問をマッサージ装置１内臓のスピーカ６１（図１）を通して合成音声によって行ってもよく、または、操作器５９上の表示画面６０に質問事項を表示するように構成してもよい。スピーカ６１および表示画面６０ともに出力手段である。そして、この質問に対し、操作器５９上でイエスかノーかを選択してボタンを押して回答をすように構成してもよく、また、マイクロホン５８を通して音声によって回答するように構成してもよい。この問診内容としては、食欲の有無、身体のだるさの有無、睡眠不足の有無、体重の急激な変化の有無等である。これらの問診実行のためのプログラムは上記メモリ５３に記憶させておけばよい。かかる問診結果と上記筋硬度の計測結果とを併せて評価することにより、より一層適切なアドバイスおよびマッサージの提供が可能となる。
【００６８】
上記メモリ５３には体調情報記憶部５３ｅが内蔵されている。この体調情報記憶部５３ｅには、筋硬度等に基づいて導かれる筋肉の疲労度合い、ストレス度合い、内蔵の異常、身体の疲労等の内容（体調情報）が記憶されている。筋硬度等に基づいてとは、たとえば、計測された筋硬度値のみならず、計測された筋硬度の時間的変化率、健全体の筋硬度との比較、入力された食欲の有無、身体のだるさの有無、睡眠不足の有無、体重の急激な変化の有無等の個人情報等、およびこれらの組み合わせから、東洋医学の理論に基づいて推論することである。この推論はメモリ５３に記憶された演算プログラムによってＣＰＵ５４が実行する。これら検討材料から該当体調を導く手法としては現在ではいわゆるエキスパートシステムが好適であろう。
【００６９】
上記メモリ５３にはマッサージ内容記憶部５３ｆが内蔵されている。このマッサージ内容記憶部５３ｆには、前述した各体調情報と対応するマッサージ内容が記憶されている。すなわち、計測筋硬度等から導かれたある体調に最適なマッサージ内容が関連づけられて記憶されている。このマッサージ内容の種類としては、ローリング、揉み、叩き、指圧、超スロー揉み等である。具体的な例としては、たとえば導かれた体調が肩こりである場合、被施療者の肩に対する揉みおよび叩きのマッサージが関連づけられる。また、導かれた体調が肩こりであり、さらにこの結果から肺ユ（経穴の一つ）に異常が認められると、呼吸器系疾患の可能性があると判断され、肺ユおよび肩から背中にかけてのマッサージが関連づけられる。この推論はメモリ５３に記憶された演算プログラムによってＣＰＵ５４が実行し、選択されたマッサージを上記マッサージ機構４に施行させる。
【００７０】
また、このマッサージ内容記憶部５３ｆ、上記個人硬度マップ記憶部５３ｂまたは個人情報記憶部５３ｄには、当該被施療者の過去の施療履歴を記憶させるようにしてもよい。すなわち、計測した筋硬度、対応する体調、対応するアドバイス、対応して選択、施行されたマッサージ内容である。
【００７１】
このマッサージ内容記憶部５３ｆには、各体調情報と対応下適切なアドバイス事項をさらに記憶させておいてもよい。このアドバイス事項とは、たとえば、「毎日軽い運動を行ってください」、「過激な運動を控えて休息してください」、「好きな音楽を聴いてリラックスしてください」、「規則正しい生活を心がけてください」、「仕事のペースを少し落としてみてください」、「睡眠を十分にとってください」等である。
【００７２】
上記マッサージ内容表示装置５６には、前述した筋硬度および個人情報、これらに対応した体調情報、および、この体調情報に対応した適切なアドバイス事項およびマッサージ内容が表示される。また、このマッサージ内容表示装置５６には同一被施療者の過去の体調情報および施行したマッサージ内容等を時系列的に表示するようにしてもよい。
【００７３】
図１６および図１７を参照しつつ、かかるマッサージ装置１の作動を以下に説明する。
【００７４】
（１）まず、被施療者がマッサージ装置１に座り、操作器５９を操作してマッサージ装置１に筋硬度計測動作および問診動作を行わしめる。被施療者は表示画面６０を見ながら操作機５９を操作して自分の年齢等の個人情報を入力する。一方、背もたれ部２内のマッサージ機構４がその原点である上端位置から下降を始める。
【００７５】
（２）肩位置センサ４２が肩位置を検出して原点から肩位置までの距離を記憶する。
【００７６】
（３）つぎに、初期の問診が開始される。すなわち、問診にかかる質問が表示画面６０またはスピーカ６１を通してなされる。たとえば、「食欲はありますか？「はい」または「いいえ」でお答えください。どうぞ。」、「身体がだるいですか？「はい」または「いいえ」でお答えください。どうぞ。」、「睡眠はとれていますか？「はい」または「いいえ」でお答えください。どうぞ。」、「過激な運動をしましたか？「はい」または「いいえ」でお答えください。どうぞ。」、「最近、大きな体重の変化はありますか？「はい」または「いいえ」でお答えください。どうぞ。」等の体調に関する一般的な質問（以下、初期問診という）である。この質問に対して被施療者は操作器５９によって表示画面６０に「イエス」または「ノー」と入力するか、または、マイクロホン５８に向かって「はい」または「いいえ」と口頭で答える。
【００７７】
（４）入力された回答情報が個人情報記憶部５３ｄに記憶される。このような一般的質問をするのはマッサージによって治療するための刺激点、すなわち、経穴を選択することができ、また、体調を推論するのに有用だからである。
【００７８】
（５）つぎに、被施療者が操作器５９の操作により、または自動的に筋硬度計測動作が開始される。マッサージ機構４が肩位置から所定の経穴位置（通常は肩位置から最も近い経穴）まで移動して止まり、（６）（７）そこで被施療者の身体（経穴）に筋硬度計測装置１５を作動させて経穴位置での筋硬度を計測する。ついで、マッサージ機構４は次の経穴位置まで移動して止まり、そこで上記と同様に筋硬度計測装置１５を作動させて経穴位置での筋硬度を計測する。この動作を予め定められた経穴の全てに対してに対して行う。マッサージ機構４の各経穴への移動順序は限定されず、マッサージ機構４の上昇下降は随時行われるが、一方向（例えば下降）のみの移動にすれば時間短縮が可能となる。
【００７９】
（８）筋硬度計測が終了すると、初期問診の結果および計測筋硬度から体性内臓反射の相関を演算し、被施療者の体調等を特定する。
【００８０】
（９）表示画面６０に前述した筋硬度のマップ、対応する体調情報を表示する。
【００８１】
（１０）特定された被施療者の体調等に対応した適切なマッサージコースを選択する。
【００８２】
（１１）選択されたマッサージ内容を表示画面６０に表示する。
【００８３】
（１２）（１３）（１４）選択されたマッサージが規定時間実行される。
【００８４】
（１５）そして、マッサージ装置１の作動が終了する。
【００８５】
異なる実施形態では、上記（１）から（１１）までの作動が終了したのち、マッサージコースの選択に代えてまたはこの選択とともに、上記体調およびこれに対応した適切なアドバイス事項を選択し、スピーカ６１を通して音声で出力するか、表示画面６０にこれを表示してもよい。
【００８６】
以上説明した実施形態では経穴における筋硬度の計測を中心にしたが、本発明ではとくに経穴のみの筋硬度を計測するものに限定されない。筋硬度計測装置の移動範囲であれば身体のいかなる部位において計測してもよい。
【００８７】
図１８には触診マッサージシステムの一例が示されている。この触診マッサージシステム（以下、単にシステムという）７１は、それぞれがユーザー端末７２を有した一台以上のマッサージ装置７３と、各ユーザー端末７２とネットワーク７４を介して接続されたサーバーマシン７５とを備えている。ユーザー端末７２には、上記入力手段５８、５９および出力手段６０、６１に接続された制御装置７６が配設されている。この制御装置７６には筋硬度計測プログラムおよびマッサージ動作プログラム等を格納したメモリ７６ａ、並びに、これらのプログラムを実行するＣＰＵ７７を備えている。筋硬度の計測結果を分析して体調等を判断する分析判断プログラムは上記サーバーマシン７５に備えられている。また、ユーザー端末７２には筋硬度計測結果の情報をサーバーマシン７５に送信し、且つ、サーバーマシン７５から当該計測結果に対応する被施療者の体調情報、この体調に対応した適切なアドバイス、体調に対応した適切なマッサージ内容の情報を受信する第一送受信手段７８が備えられている。もちろん、この第一送受信手段７８をマッサージ装置７３に備えることなく、別体で配設したり、既設のホームサーバーマシンを第一送受信手段として用いてもよい。ユーザー端末７２からサーバーマシン７５に送信する情報は筋硬度計測結果に限らず、被施療者の個人情報および当該被施療者の施療履歴を含めてもよい。
【００８８】
一方、サーバーマシン７５には上記分析判断プログラムを格納したメモリ７９、この分析判断プログラムを実行するＣＰＵ８０、ユーザー端末７２からの計測筋硬度等の情報を受信し、且つ、当該情報に対応する被施療者の体調情報、この体調に対応した適切なアドバイス、体調に対応した適切なマッサージ内容の情報をユーザー端末７２に送信する第二送受信手段８１が備えられている。もちろん、サーバーマシン７５からユーザー端末７２には計測結果に対応する被施療者の体調情報、および、体調に対応した適切なアドバイスのみを送信し、ユーザー端末７２においてかかる情報にに対応した適切なマッサージ内容を選択するようにしてもよい。
【００８９】
この構成により、サーバーマシン７５の機能向上が可能となり、一層の高速演算により、多量のデータを用いてより詳細な被施療者の体調を把握することができる。その結果、より詳細なアドバイスを提供し、より適切なマッサージを施すことが可能となる。また、一台のサーバーマシン７５と多数台のマッサージ装置７３とをネットワーク７４で接続することにより、各地の温泉旅館やホテル、百貨店の家具売場、東洋医学による医療現場、一般家庭、スポーツクラブ、ゴルフ場、リラクゼーション施設等にマッサージ装置７３を設置して同等の施療サービスを行うことが可能となる。
【００９０】
ユーザー端末７２は音声等（画像を含む場合がある）の情報の通信ができるようなものであり、パーソナルコンピュータ、携帯電話機、情報提供装置等、また、図示しないが携帯情報端末装置を含む。上記両送受信手段７８、８１は各種のネットワークを介した通信を可能とするためのインターフェースであり、ネットワーク制御部とも言える。
【００９１】
本実施形態においては、単にネットワーク７４として示してあるが、このネットワーク７４は、ユーザー端末７２の形態に応じた情報の通信ができるようなものを意味する。ユーザー端末７２の形態が多岐に亘る場合には複数の種類のネットワークを組み合わせたものとなる。
【産業上の利用可能性】
【００９２】
本発明に係るマッサージ装置は、東洋医学に基づいて触診を採用して被施療者の体調を把握することによって、被施療者により適切なマッサージを施すためのマッサージ装置に適用することができる。
【図面の簡単な説明】
【００９３】
【図１】本発明のマッサージ装置の一実施形態を示す斜視図である。
【図２】図１のマッサージ装置におけるマッサージ機構の一例を示す斜視図である。
【図３】図２のマッサージ機構における、筋硬度計測装置を有する施療子の一部切欠き側面図である。
【図４】図３の筋硬度計測装置の動作を示すグラフである。
【図５】図５（ａ）〜図５（ｅ）はそれぞれ、図３の筋硬度計測装置におけるアクチエータの例を示す図である。
【図６】図６（ａ）および図６（ｂ）はそれぞれ、図３の筋硬度計測装置における距離センサの例を示す斜視図である。
【図７】図７（ａ）は図１のマッサージ装置における、筋硬度計測装置を有する施療子の他の例を示す側面図であり、図７（ｂ）はその正面図である。
【図８】図８（ａ）はマッサージ機構の他の例を示す斜視図であり、図８（ｂ）は図８（ａ）のマッサージ機構を有するマッサージ装置の一例を示す一部切欠き側面図である。
【図９】図９（ａ）は本発明のマッサージ装置における筋硬度計測装置の他の例を示す斜視図であり、図９（ｂ）は図９（ａ）の筋硬度計測装置の作動原理を示す側面図である。
【図１０】図１０（ａ）はマッサージ機構の他の例を示す斜視図であり、図１０（ｂ）は図１０（ａ）のマッサージ機構における施療子の一例を示す斜視図であり、図１０（ｃ）は図１０（ｂ）の施療子の正面図である。
【図１１】肩位置センサを備えた、図１のマッサージ装置の施療子の一例を示す側面図である。
【図１２】図１１の施療子の概略正面断面図である。
【図１３】図１１の肩位置センサの作動を示す側面図である。
【図１４】図１のマッサージ装置における制御装置の一例を示すブロック図である。
【図１５】図１５（ａ）〜図１５（ｃ）はそれぞれ図１のマッサージ装置における筋硬度データの処理例、表示例を示す図である。
【図１６】図１のマッサージ装置の作動の一例を示すフローチャートである。
【図１７】図１のマッサージ装置の作動の一例を示すフローチャートである。
【図１８】図１８（ａ）は本発明のマッサージシステムの一実施形態を示すブロック図であり、図１８（ｂ）は図１８（ａ）のＡ部の構成を示すブロック図であり、図１８（ｃ）は図１８（ａ）のＢ部の構成を示すブロック図である。
【符号の説明】
【００９４】
１・・・・マッサージ装置
２・・・・背もたれ部
３・・・・座面部
４・・・・マッサージ機構
５・・・・バイブレーションモータ（マッサージ機構）
６・・・・昇降台
７・・・・昇降用モータ
８・・・・ネジ送り機構
９・・・・施療子
１０・・・・駆動機本体
１１ａ・・・叩きモータ
１１ｂ・・・揉みモータ
１２・・・・アーム
１３ａ、１３ｂ、１３ｃ・・・・揉み玉
１４・・・・ガイドローラ
１５・・・・筋硬度計測装置
１６・・・・圧力センサ
１７・・・・可動棒部材
１８、１８１、１８２、１８３、１８４、１８５・・・・アクチエータ
１９、１９１、１９２・・・・距離センサ
２０・・・・ハウジング
２１・・・・マッサージ装置
２２・・・・施療子
２３・・・・背もたれ部
２４・・・・アーム
２５・・・・ハウジング
２６・・・・ブラケット
２７・・・・レール
２８・・・・駆動ピニオン
２９・・・・筋硬度計測装置
２９ａ・・・接触子（ローラ）
３０・・・・圧力センサ
３１・・・・歪みゲージ
３２・・・・マッサージ機構
３３・・・・載置台
３４・・・・レール
３５・・・・載置部
３６・・・・係合部
３７・・・・ブリッジ
３８・・・・施療子
３９・・・・（施療子の）本体
４０・・・・アーム
４１・・・・揉み玉
４２・・・・肩位置センサ
４４、４４ａ、４４ｂ・・・・枢支体
４５・・・・ピン
４６、４６ａ、４６ｂ・・・・貫通孔
４７・・・・発光素子
４８・・・・受光素子
５０・・・・制御装置
５１・・・・移動制御部
５２・・・・マッサージ動作制御部
５３・・・・メモリ
５３ａ・・・座標記憶部
５３ｂ・・・個人硬度マップ記憶部
５３ｃ・・・標準硬度マップ記憶部
５３ｄ・・・個人情報記憶部
５３ｅ・・・体調情報記憶部
５３ｆ・・・マッサージ内容記憶部
５４・・・・ＣＰＵ
５５・・・・個人情報入力装置
５６・・・・マッサージ内容表示装置
５７・・・・硬度マップ表示装置
５８・・・・マイクロホン
５９・・・・操作器
６０・・・・表示画面
６１・・・・スピーカ
１００・・・・支持部材
１０１・・・・揺動軸
Ｂ、Ｃ、Ｄ、Ｈ、Ｊ・・・・位置
Ｆｒ・・・・転がり抵抗力
Ｆｖ・・・・押圧力
Ｇ・・・・凹所
Ｋ・・・・方向
Ｌ、Ｑ・・・・仮想直線
Ｍ・・・・モータ
Ｎ・・・・垂直抗力
Ｐ・・・・（Ｆｒの）作用点
Ｒ・・・・（ローラの）半径
Ｒｆ・・・・検出反力値
Ｓ・・・・面積
【図１】
0004681895.tif 000002
【図２】
0004681895.tif 000003
【図３】
0004681895.tif 000004
【図４】
0004681895.tif 000005
【図５】
0004681895.tif 000006
【図６】
0004681895.tif 000007
【図７】
0004681895.tif 000008
【図８】
0004681895.tif 000009
【図９】
0004681895.tif 000010
【図１０】
0004681895.tif 000011
【図１１】
0004681895.tif 000012
【図１２】
0004681895.tif 000013
【図１３】
0004681895.tif 000014
【図１４】
0004681895.tif 000015
【図１５】
0004681895.tif 000016
【図１６】
0004681895.tif 000017
【図１７】
0004681895.tif 000018
【図１８】
0004681895.tif 000019